(57)【要約】  【課題】クレセントの強度補強を図り、バール等によるこじ開けによっても容易に解錠されない堅固なクレセント錠を得る。  【解決手段】室内障子の縦框に固定される取付けベース２と、この取付けベース２に対してクレセント軸４ａを介して回動自在に取り付けられたクレセント４からなり、前記取付けベース２の上面に、前記クレセント４の摺接面となる摺接面部６が突出して形成された施錠側金具と、前記クレセント４が係合するフック部９を備え室外障子側に固定されるクレセント受け具とからなるクレセント錠において、前記取付けベース２の上面に突出して形成された摺接面部は、突出高ｔを０．３mm以下とする。【選択図】図３
2005113404.tif 000002
【特許請求の範囲】
【請求項１】
室内障子の縦框に固定される取付けベースと、この取付けベースに対してクレセント軸を介して回動自在に取り付けられたクレセントとを備え、前記取付けベースの上面に、前記クレセントとの接触面となる摺接面部が突出して形成された施錠側金具と、前記クレセントが係合するフック部を備え室外障子側に固定されるクレセント受け具とからなるクレセント錠において、
前記取付けベースの上面に突出して形成された摺接面部は、突出高が０．３mm以下であることを特徴とするクレセント錠。
【請求項２】
室内障子の縦框に固定される取付けベースと、この取付けベースに対してクレセント軸を介して回動自在に取り付けられたクレセントとを備え、前記取付けベースの上面に、前記クレセントとの接触面となる摺接面部が突出して形成された施錠側金具と、前記クレセントが係合するフック部を備え室外障子側に固定されるクレセント受け具とからなるクレセント錠において、
前記摺接面部は、取付けベースの室外側側縁までの区間において段差を有することなく形成されているクレセント錠。
【請求項３】
室内障子の縦框に固定される取付けベースと、この取付けベースに対してクレセント軸を介して回動自在に取り付けられたクレセントとを備える施錠側金具と、前記クレセントが係合するフック部を備え室外障子側に固定されるクレセント受け具とからなるクレセント錠において、
前記取付けベースの上面に、前記クレセントとの接触面となる、クレセント側に突出形成された摺接面部を有さず、前記取付けベースの上面を直接、摺接面としたことを特徴とするクレセント錠。
【発明の詳細な説明】
【技術分野】
【０００１】
本発明は、クレセントの強度補強を図ったクレセント錠に関する。
【背景技術】
【０００２】
従来より、引き違い窓等のサッシ用施錠装置としてクレセント錠が知られている。このクレセント錠は、例えば図７に示されるように、室内障子の縦框（召合せ框）に取り付けられる取付けベース５０と、この取付けベース５０に対してクレセント軸５１を介して回動自在に取り付けられたクレセント５２とからなるもので、このクレセント５２と一体的に連結された操作レバー５３を掴み、ほぼ１８０°の範囲で回動させることにより、クレセント５２を室外側障子に取り付けられたクレセント受け具（図７では図示せず）に対して係脱させるようにした施錠装置である（例えば下記特許文献１参照）。
【０００３】
前記取付けベース５０には通常、クレセント５２の回動を円滑にするとともに、クレセント５２の接触部分を特定部位に限定する等の目的で、前記取付けベースの上面には、クレセント５２との接触面となる通常は円形の摺接面部５４（以下、ボス部ともいう。）がクレセント側に突出して形成されている。
【特許文献１】実開平７−４０９４９号公報
【発明の開示】
【発明が解決しようとする課題】
【０００４】
近年、前記クレセント錠を施錠装置とした障子窓において、クレセント錠を強引に破壊して家屋に侵入する窃盗事件が多発するようになった。すなわち、従来のクレセント錠の場合には、障子の召合せ框部分にバールなどを差し込んでクレセントに対して強引に障子の開方向に力を加えると、前記クレセント５２が変形してしまい、障子が簡単にこじ開けられてしまう問題が明らかとなった。
【０００５】
そこで本発明の主たる課題は、クレセントの強度補強を図り、バール等によるこじ開けによっても容易に解錠されない堅固なクレセント錠を提供することにある。
【課題を解決するための手段】
【０００６】
前記課題を解決するために請求項１に係る本発明として、室内障子の縦框に固定される取付けベースと、この取付けベースに対してクレセント軸を介して回動自在に取り付けられたクレセントとを備え、前記取付けベースの上面に、前記クレセントとの接触面となる摺接面部が突出して形成された施錠側金具と、前記クレセントが係合するフック部を備え室外障子側に固定されるクレセント受け具とからなるクレセント錠において、
前記取付けベースの上面に突出して形成された摺接面部は、突出高が０．３mm以下であることを特徴とするクレセント錠が提供される。
【０００７】
本発明者等は、従来のクレセント錠について、障子が容易にこじ開けられてしまう技術的問題について検討を重ねた。その結果、従来のクレセント錠の場合は、図８に示されるように、取付けベース５０にクレセント５２の摺接面となるボス部５４が突出形成されており、このボス部５４は通常０．５〜１．０mm程度の厚みｔを有するため、クレセント５２と取付けベース５０との間には、前記ボス部５４によって厚み分の間隙空間Ｏが形成されるようになる。力学的に捉えると、前記クレセント５２は取付けベース５０側縁からの張出長さｌ１と、取付けベース５０の側縁からボス部５４の側縁位置までの寸法ｌ２とを加算した張出長さＬを有する片持ち梁状態となっている。
【０００８】
障子の召合せ框部分にバールなどを差し込み、強引に障子に開方向の力を加えると、同図に鎖線で示されるように、クレセント５２が徐々に変形を起こす。この変形に伴って加力点Ｋが取付けベース５０から徐々に離間し（シフト量Ｓ）、アーム長さＬが増加し、これに伴ってクレセント５２に作用する曲げモーメント（Ｍ＝Ｐ・Ｌ）が増大し、クレセント５２の変形が拡大するためであるとの結論に至った。
【０００９】
そこで、本発明では同様の力が加わった場合でも、クレセントの変形を抑えるための構造を鋭意検討した結果、取付けベース５０に突出形成されたクレセント摺接面部の高さを０．３mm以下、好ましくは０．２mm以下、より好ましくは０．１mm程度とすることにより上記問題を解決し得るとの結論を得た。
【００１０】
上記摺接面部の突出高を０．３mm以下とすることにより、クレセント５２が若干の変形を起こした時点ですぐに、クレセント５２は取付けベース５０の室外側側縁に当たるためアーム長がｌ１となり、クレセントに作用する曲げモーメント（Ｍ＝Ｐ・ｌ１）が低減されるため、クレセント５２の変形を抑えることが可能となる。
【００１１】
請求項２に係る本発明として、室内障子の縦框に固定される取付けベースと、この取付けベースに対してクレセント軸を介して回動自在に取り付けられたクレセントとを備え、前記取付けベースの上面に、前記クレセントとの接触面となる摺接面部が突出して形成された施錠側金具と、前記クレセントが係合するフック部を備え室外障子側に固定されるクレセント受け具とからなるクレセント錠において、
前記摺接面部は、取付けベースの室外側側縁までの区間において段差を有することなく形成されているクレセント錠が提供される。
【００１２】
前記摺接面部を取付けベースの室外側側縁までの区間において段差を有しないように平面状に形成することにより、加力当初よりアーム長がｌ１とできるため、クレセントの変形をより効果的に抑えることが可能となる。
【００１３】
請求項３に係る本発明として、室内障子の縦框に固定される取付けベースと、この取付けベースに対してクレセント軸を介して回動自在に取り付けられたクレセントとを備える施錠側金具と、前記クレセントが係合するフック部を備え室外障子側に固定されるクレセント受け具とからなるクレセント錠において、
【００１４】
前記取付けベースの上面に、前記クレセントとの接触面となる、クレセント側に突出形成された摺接面部を有さず、前記取付けベースの上面を直接、摺接面としたことを特徴とするクレセント錠が提供される。
【００１５】
クレセント回動支持する取付けベースの上面には、クレセントの摺接を円滑化するために請求項１，２記載の発明のように、摺接面部を形成することが望ましいが、場合によっては摺接面部を形成せずに、取付けベースの上面を直接、摺接面とすることでも同様の効果を奏することができる。
【発明の効果】
【００１６】
以上詳説のとおり本発明によれば、クレセントの強度補強を図ることができ、バール等によるこじ開けによっても容易に解錠されない堅固なクレセント錠を提供することができる。
【発明を実施するための最良の形態】
【００１７】
以下、本発明の実施の形態について図面を参照しながら詳述する。
図１は本発明に係るクレセント錠１の(A)は正面図、(B)は側面図である。
【００１８】
前記クレセント錠１は、図１に示されるように、室内障子の縦框（召合せ框）にビス等で取り付けられる取付けベース２と、この取付けベースに対してクレセント軸４ａを介して回動自在に取り付けられたクレセント４と、前記クレセント軸４ａに一体的に連設された操作レバー５とから主に構成される施錠側金物と、室外側障子に取り付けられ、前記クレセント４が係合するためのフック部を備えたクレセント受け金具とからなるものである。
【００１９】
前記取付けベース２とクレセント４との接触面部においては、クレセント４の回動を円滑にするとともに、クレセント４の接触部分を特定部位に限定する等の目的で、取付けベース２の上面に、前記クレセント４の摺接面となる摺接面部６（ボス部）がクレセント４側に突出して形成されている。
【００２０】
障子の施錠／解錠操作は、前記操作レバー５を掴み、クレセント４をほぼ１８０°の範囲で回動させることにより、クレセント４の周囲に形成された、壁高を漸次テーパー状に変化させた環状周壁が室外側障子の縦框に取り付けられたクレセント受け具のフック部に（図１では図示せず）係脱させ、障子の施錠および解錠を成すようになっている。また、図示の例では施錠時にクレセント４の回動を阻止するためにサブロック操作部７が設けられている。
【００２１】
本発明では特に、バールなどにより障子が強引にこじ開けられ家屋に侵入される盗難事件が多発している事情に鑑み、前記クレセント４の強度補強を図るようにした。
【００２２】
具体的に詳述すると、前記取付けベース２は、図２に示されるように、例えばポリプロピレンまたはポリアミド等の樹脂よりなる部材であり、中央部にはクレセント４を保持するクレセント保持部２Ａが形成されるとともに、その両側には略段状に前記取付けベース２を室内障子の縦框に固定するためのビス取付用座面２Ｂ、２Ｃが形成されている。前記クレセント保持部２Ａには軸挿通孔２ａが形成され、クレセント４に一体的に設けられた軸部４ａが挿通され、裏面側にて抜脱不能に固定されるようになっている。
【００２３】
また、前記取付けベース２の上面側には、前記軸挿通孔２ａの周囲にクレセント４側に突出するように、前記クレセント４の摺接面となる摺接面部６が形成されている。
【００２４】
一方、前記ビス取付用座部２Ｂ、２Ｃには、固定ビス取付孔２ｂ、２ｃが形成されるとともに、縦框への固定後は図１に示されるように、ビスカバー８Ａ、８Ｂが取り付けられるようになっている。
【００２５】
前記ボス部６についてさらに説明すると、図２に示されるように、前記ボス部６は、軸挿通孔２ａの周囲に同心円状に円形に形成され、その突出高ｔは、図３に示されるように、０．３mm以下、好ましくは０．２mm以下、さらに好ましくは０．１mm以下となるように形成される。前記突出高ｔが０．３mmを超える場合には、後述の実験例により明らかとされるように、バール等によりクレセント４に対して開方向に強い力を加えた場合に曲がってしまい、所望の強度を得ることができない。上述のようにボス部６の突出高ｔを０．３mm以下とすることにより、同図３に示されるように、クレセント４に対して開方向の力が加わり、若干の変形を起こした時点ですぐに、クレセント４は取付けベース２の室外側側縁に当たるためアーム長がｌ１、すなわち張出梁の基点がＰ１からＰ２となり、クレセント４に作用する曲げモーメントが低減されるため（Ｍ＝ＰＬ→Ｍ＝Ｐ・ｌ１）、クレセント４の変形を効果的に抑えることが可能となる。
【００２６】
〔他の形態例〕
(1)上記形態例では、ボス部６は軸挿通孔２ａの周囲を囲むように、円形に形成したが、図４に示されるように、一側端（室外側部分）が取付けベース２の室外側側縁まで至るように、平面視で横Ｕ字状に突出形成するようにしてもよい。すなわち、取付けベース２の室外側側縁までの区間において段差を有することなく形成するようにしてもよい。この場合にはボス部６の突出高は０．３mm以下である必要はなく、通常通り０．５〜１．０mm程度とすることができる。
【００２７】
前記ボス部６を取付けベース２の室外側端部まで段差を有することなく形成することにより、加力当初から張出長さをｌ１とできるため、クレセント４に作用する曲げモーメントが小さくなり、クレセント４がクレセント受け具のフック部９から容易に外れ難くなる。
(2)上記形態例では、クレセント４の摺接面となるボス部６を形成したクレセント錠に係るものであるが、図５に示されるように、このボス部６を無くし、取付けベース２の上面を直接、摺接面としても、加力当初から張出長さをｌ１とできるため、本発明の目的を達成することが可能である。
(3)上記形態例では、施錠時のクレセント４の回動を阻止するために、サブロック操作部が取り付けられている。前記サブロックは防犯性を向上する点では設けることが望ましいが、場合によっては省略してもよい。
【実施例】
【００２８】
前記ボス部６の突出高ｔをそれぞれ０．１mm、０．３mm、０．５mm、１．０mmとして製作した各クレセント供試体に対して、徐々に開方向の力を加えていった際のクレセント４の曲げ耐力を、縦軸を試験力（Ｎ）、横軸を変位値(mm)として測定した結果を図６のグラフに示す。
【００２９】
図６のグラフからも明らかなように、ボス部６の突出高ｔを０．５mmとしたクレセント供試体と、突出高ｔを１．０mmとしたクレセント供試体ではほぼ同様の試験力−変位曲線を示しているが、突出高ｔを０．３mm、０．１mmとしたクレセント供試体のケース群の場合には、前記０．５mm、１．０mmのケース群とは明らかに異なる試験力−変位曲線となっており、クレセントの変位抑制効果が顕著となっている。例えば、試験力として1500Ｎの力を加えた際の変形量は、ほぼ１／３に低減されていることが判る。
【図面の簡単な説明】
【００３０】
【図１】本発明に係るクレセント錠１の(A)は正面図、(B)は側面図である。
【図２】取付けベース２の(A)は正面図、(B)は縦断面図、(C)は横断面図である。
【図３】クレセント４とクレセント受け金具のフック部９との係合部詳細図である。
【図４】ボス部６の形成態様の変形例を示す、(A)は平面図、(B)は横断面図である。
【図５】ボス部６を無くした場合の取付けベース２の平面図である。
【図６】厚さｔを変化させた各クレセント供試体の試験力−変位図である。
【図７】従来のクレセント錠を示す断面図である。
【図８】従来のクレセント錠がこじ開けられた場合のクレセントの変形状態を説明するための図である。
【符号の説明】
【００３１】
１…クレセント錠、２…取付けベース、４…クレセント、４ａ…クレセント軸、５…操作レバー、６…ボス部
【図１】
2005113404.tif 000003
【図２】
2005113404.tif 000004
【図３】
2005113404.tif 000005
【図４】
2005113404.tif 000006
【図５】
2005113404.tif 000007
【図６】
2005113404.tif 000008
【図７】
2005113404.tif 000009
【図８】
2005113404.tif 000010